(57)【要約】【課題】トラックに沿ってのデータの書き換えを行うソフトウエアを変更することなく、ＣＰＲＭ対応の光ディスクの再生を不能化する。【解決手段】データの書き換えが可能であって且つ放射方向のレーザカッティングによってデータが示されるカッティングデータエリアが形成された光ディスク１を対象としてデータの記録再生を行う構成において、光ディスク１の再生を不能化する指示が入力されたときには、ピックアップ３によるトラックに沿ったデータの消去を、光ディスク１の半径方向においてカッティングデータエリアが形成された範囲に対して行う。【選択図】  図１
2005346806.tif 000002
【特許請求の範囲】
【請求項１】
データの書き換えが可能であって且つ放射方向のレーザカッティングによってデータが示されるＮＢＣＡが形成されたＤＶＤを対象として、データの記録再生を行うＤＶＤレコーダにおいて、
予め入力されたパスワードを記憶するパスワード記憶手段を備え、
ＤＶＤの再生を不能化する指示が入力されたときにはパスワードの入力を求め、入力されたパスワードがパスワード記憶手段に記憶されたパスワードに一致すると再生の不能化の確認を求める表示を行い、前記表示に対応して再生の不能化の指示が入力されたときには、ピックアップによるトラックに沿ったデータの消去を、ＤＶＤの半径方向においてＮＢＣＡが形成された範囲に対して行うことを特徴とするＤＶＤレコーダ。
【請求項２】
データの書き換えが可能であって且つ放射方向のレーザカッティングによってデータが示されるカッティングデータエリアが形成された光ディスクを対象として、データの記録再生を行う記録再生装置において、
光ディスクの再生を不能化する指示が入力されたときには、ピックアップによるトラックに沿ったデータの消去を、光ディスクの半径方向においてカッティングデータエリアが形成された範囲に対して行うことを特徴とする記録再生装置。
【請求項３】
予め入力されたパスワードを記憶するパスワード記憶手段を備え、
入力されたパスワードがパスワード記憶手段に記憶されたパスワードに一致するときに前記消去を行うことを特徴とする請求項２記載の記録再生装置。
【請求項４】
光ディスクの再生の不能化の指示が入力されたときには不能化の確認を求める表示を行い、前記表示に対応して不能化の指示が入力されたときに前記消去を行うことを特徴とする請求項２または請求項３記載の記録再生装置。
【発明の詳細な説明】
【技術分野】
【０００１】
本発明は、放射方向のレーザカッティングによってデータが示されるカッティングデータエリアが形成された光ディスクを対象として、データの記録再生を行うＤＶＤレコーダおよび記録再生装置に関するものである。
【背景技術】
【０００２】
ＤＶＤに記録された大量のデータが不正にコピーされることを防止するため、例えば、ＤＶＤ−ＲＷに記録されたコンテンツの場合、Ｖｉｄｅｏ  Ｒｅｃｏｒｄｉｎｇ  ＦｏｒｍａｔにおけるＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）によって、再生を許可するかどうか、および、コピーを許可するかどうかを管理するようになっている。そして、これらの管理に関する情報は、ＤＶＤ−ＲＷのトラックに記録された情報と、ＮＢＣＡ（Ｎａｒｒｏｗ  Ｂｕｒｓｔ  Ｃｕｔｔｉｎｇ  Ａｒｅａ）にレーザカッティングによって記録された情報（以下ではカッティングデータと称する）とでもって示されるようになっている（第１の従来技術とする）。
【０００３】
また以下に示す技術が提案されている（第２の従来技術とする）。すなわち、この技術では、ＤＶＤである媒体Ｍ１の情報記録に係わる全領域は、『非再生記録領域（リードインゾーン、リードアウトゾーン）１１，１２、ビット欠陥情報を登録する欠陥管理領域（Ｄｅｆｅｃｔ  Ｍａｎａｇｅｍｅｎｔ  Ａｒｅａで、以下、ＤＭＡという）１０ａ、論理フォーマット情報管理領域１０ｃ、非再生記録領域１１，１２内の管理情報退避領域１１ａ，１２ａと、情報記録領域１０とから成る。このうち、非再生記録領域１１，１２、ＤＭＡ１０ａ、論理フォーマット情報管理領域１０ｃは管理情報領域ともいい、一般にユーザが情報の再生、記録、消去、書き換えができないコード領域であるが、本発明ではシステムを通じて管理情報領域にアクセスし、媒体Ｍ１を自在に再生不能化、再生専用化し、逆に随時書き換え可能化への復元を行い得るようにした』ことが開示されている。
【０００４】
また、『１０ｂは論理アクセス領域、所謂実質的なデータ記録領域であり、情報記録領域１０からＤＭＡ１０ａを除いた領域である。この論理アクセス領域１０ｂでは、ＤＭＡ１０ａ中のＰＤＬ（Ｐｈｙｓｉｃａｌ  Ｄｅｆｅｃｔ  Ｌｉｓｔで、物理フォーマット時又は媒体Ｍ１製造者の検査時の初期欠陥リスト）に登録されたセクタが省かれ（セクタスリッピング処理）、使用可能なセクタに０から連番で論理ブロックＮＯ．が割り当てられている。ＯＳは論理ブロックＮＯ．を検知して媒体Ｍ１の情報にアクセスするので、ＤＭＡ１０ａが規定の形式で記録されていない場合、或いは論理フォーマット情報管理領域１０ｃのディレクトリーデータ及びディレクトリーデータに対応する論理ブロックＮＯ．が消去されていると、ＯＳは媒体Ｍ１にアクセスできない。このようにして、再生不能化する』ことが開示されている（例えば、特許文献１参照）。
【０００５】
また、以下に示す技術が提案されている（第３の従来技術とする）。すなわち、この技術では、リードイン領域の最も内周側にＮＢＣＡ予約領域を設け、初期領域については、ＮＢＣＡ予約領域に隣接した外周側から始まるようにしている。そして、リードイン領域のバッファ領域０、ＲＷ物理フォーマット情報領域、参照コード領域、バッファ領域１、コントロールデータ領域のうち、バッファ領域０、参照コード領域、バッファ領域１、コントロールデータ領域を、読み取り可能エンボス領域とし、この領域に第２の識別情報を記録可能としている。また、ＮＢＣＡに第１の識別情報を記録可能としている。このため、コピープロテクションなどに用いられる識別情報をユーザが書き換えできないように記録することが可能になるので、識別情報の不正な使用が防止されることになる（例えば、特許文献２参照）。
【特許文献１】特開２０００−２１５６１３号公報（第００１８，００１９段落、図１）
【特許文献２】特開２００１−３４４７６５号公報（第００９７−０１０１段落、図１）
【発明の開示】
【発明が解決しようとする課題】
【０００６】
しかしながら、第１の従来技術を用いる場合には、以下に示す問題が生じていた。すなわち、ＮＢＣＡに記録された情報とトラックに記録された情報とによって再生が許可されているＤＶＤ−ＲＷを廃棄したとき、廃棄されたＤＶＤ−ＲＷが他人に渡るという事態が考えられる。そして、廃棄されたＤＶＤ−ＲＷが他人に渡ったときでは、ＤＶＤ−ＲＷの内容が他人によって不要に閲覧されるという事態を招く。このため、廃棄する場合には、ＮＢＣＡに記録された情報とトラックに記録された情報とによって再生が許可されているＤＶＤ−ＲＷであっても、再生を確実に不能化できる方法が求められていた。
【０００７】
第２の従来技術は、管理情報領域にアクセスすることによって、媒体の再生不能化、再生専用化、および、書き換え可能化への復元を行う技術であるとともに、論理フォーマット情報管理領域のディレクトリーデータ及びディレクトリーデータに対応する論理ブロックＮＯ．を消去することによって、再生不能化する技術となっている。すなわち、トラックに沿ってのデータの書き換えを行うことにより、再生を不能化するようになっている。しかし、トラックに沿ってのデータの書き換えを行う場合では、再生の不能化を復元する可能性を完全に０にすることができず、データが読み取られる可能性が残るという問題が生じていた。
【０００８】
第３の従来技術は、コピープロテクションなどに用いられる識別情報を、ユーザが書き換えできないように記録することを可能にして、識別情報の不正な使用を防止する技術となっている。このため、再生を確実に不能化しようとする観点からは、適用することが困難な技術となっている。
【０００９】
本発明は、上記の問題点を解決するため創案されたものであり、その目的は、ＣＰＲＭ対応の光ディスクを再生が確実に不能化されたディスクに変えることのでき、且つ、ＤＶＤの再生の不能化が所定の資格を持たないユーザによって実行されることを防止することのでき、且つ、ＤＶＤの再生の不能化が不用意に誤って実行されることを防止することのできるＤＶＤレコーダを提供することにある。
【００１０】
また本発明の目的は、ピックアップによるデータの消去を、光ディスクの半径方向においてカッティングデータエリアが形成された範囲に対して行い、カッティングデータエリアを読み取り不能にして、ＣＰＲＭ対応の光ディスクにおいて暗号化を解くときに必要となる情報の１つを取得不能とすることにより、ＣＰＲＭ対応の光ディスクを、再生が確実に不能化されたディスクに変えることのできる記録再生装置を提供することにある。
【００１１】
また上記目的に加え、光ディスクの再生の不能化を行うときにはパスワードの入力を求めることにより、光ディスクの再生の不能化が所定の資格を持たないユーザによって実行されることを防止することのできる記録再生装置を提供することにある。
【００１２】
また上記目的に加え、再生の不能化を行うときには確認を求めることにより、光ディスクの再生の不能化が不用意に誤って実行されることを防止することのできる記録再生装置を提供することにある。
【課題を解決するための手段】
【００１３】
上記の課題を解決するため、本発明に係るＤＶＤレコーダは、データの書き換えが可能であって且つ放射方向のレーザカッティングによってデータが示されるＮＢＣＡが形成されたＤＶＤを対象として、データの記録再生を行うＤＶＤレコーダに適用している。そして、予め入力されたパスワードを記憶するパスワード記憶手段を備え、ＤＶＤの再生を不能化する指示が入力されたときにはパスワードの入力を求め、入力されたパスワードがパスワード記憶手段に記憶されたパスワードに一致すると再生の不能化の確認を求める表示を行い、前記表示に対応して再生の不能化の指示が入力されたときには、ピックアップによるトラックに沿ったデータの消去動作を、ＤＶＤの半径方向においてＮＢＣＡが形成された範囲に対して行うようになっている。
【００１４】
すなわち、ＮＢＣＡにおいては、放射方向のレーザカッティングによってデータが示されるようになっている。このため、トラックに沿って、通常のデータ消去を行うときの消去用のレーザ光をＮＢＣＡに照射すると、既に形成されていた放射方向のカッティングが変成され、カッティングにより示されるデータの読み取りが不能となる。その結果、ＣＰＲＭ対応のＤＶＤにおいては、ＮＢＣＡに記録されたデータを参照することができなくなるので、再生されたデータの暗号化を解けなくなる。且つ、パスワード記憶手段に予め記憶されたパスワードを知らない者が操作する場合では、消去動作を行うことができない。且つ、再生の不能化の確認を求められるので、このときに消去動作を取り止めることができる。
【００１５】
また本発明に係る記録再生装置は、データの書き換えが可能であって且つ放射方向のレーザカッティングによってデータが示されるカッティングデータエリアが形成された光ディスクを対象として、データの記録再生を行う記録再生装置に適用している。そして、光ディスクの再生を不能化する指示が入力されたときには、ピックアップによるトラックに沿ったデータの消去を、光ディスクの半径方向においてカッティングデータエリアが形成された範囲に対して行うようになっている。
【００１６】
すなわち、カッティングデータエリアにおいては、放射方向のレーザカッティングによってデータが示されるようになっている。このため、トラックに沿って、通常のデータ消去を行うときの消去用のレーザ光をカッティングデータエリアに照射すると、既に形成されていた放射方向のカッティングが変成され、カッティングにより示されるデータの読み取りが不能となる。その結果、ＣＰＲＭ対応の光ディスクにおいては、カッティングデータエリアに記録されたデータを参照することができなくなるので、再生されたデータの暗号化を解けなくなる。
【００１７】
また上記構成に加え、予め入力されたパスワードを記憶するパスワード記憶手段を備え、入力されたパスワードがパスワード記憶手段に記憶されたパスワードに一致するときに前記消去を行うようになっている。すなわち、パスワード記憶手段に予め記憶されたパスワードを知らない者が操作する場合では、消去動作を行うことができない。
【００１８】
また上記構成に加え、光ディスクの再生の不能化の指示が入力されたときには不能化の確認を求める表示を行い、前記表示に対応して不能化の指示が入力されたときに前記消去を行うようになっている。すなわち、再生の不能化の確認を求められるので、このときに消去動作を取り止めることができる。
【発明の効果】
【００１９】
本発明によれば、トラックに沿ってデータの消去を行うときのデータ消去用のレーザ光をＮＢＣＡに照射して、既に形成されていた放射方向のレーザカッティングを変成させることにより、カッティングにより示されるデータの読み取りを不能としている。つまり、ＮＢＣＡに記録された情報を参照できなくすることによって、ＣＰＲＭ対応のＤＶＤから再生されたデータの暗号化を解けなくしている。且つ、パスワード記憶手段に予め記憶されたパスワードを知らない者が操作する場合では、消去動作を行うことができない。且つ、再生の不能化の確認を求められるので、このときに消去動作を取り止めることができる。このため、ＣＰＲＭ対応の光ディスクを再生が確実に不能化されたディスクに変えることができ、且つ、ＤＶＤの再生の不能化が所定の資格を持たないユーザによって実行されることを防止でき、且つ、ＤＶＤの再生の不能化が不用意に誤って実行されることを防止できる。
【００２０】
また本発明によれば、トラックに沿ってデータの消去を行うときのデータ消去用のレーザ光をカッティングデータエリアに照射して、既に形成されていた放射方向のレーザカッティングを変成させることにより、カッティングにより示されるデータの読み取りを不能としている。つまり、カッティングデータエリアに記録された情報を参照できなくすることによって、ＣＰＲＭ対応の光ディスクから再生されたデータの暗号化を解けなくしている。このため、ＣＰＲＭ対応の光ディスクを、再生が確実に不能化されたディスクに変えることができる。従って、廃棄されるＣＰＲＭ対応の光ディスクが、個人的な情報が記録された光ディスクである場合にも、プライバシーの保護を行うことができる。
【００２１】
また、さらに、パスワード記憶手段に予め記憶されたパスワードを知らない者が操作する場合では、消去動作を行うことができない。このため、光ディスクの再生の不能化が所定の資格を持たないユーザによって実行されることを防止できる。
【００２２】
また、さらに、再生の不能化の確認を求められるので、このときに消去動作を取り止めることができるため、光ディスクの再生の不能化が不用意に誤って実行されることを防止できる。
【発明を実施するための最良の形態】
【００２３】
以下、本発明の実施の形態について図を参照して説明する。
【００２４】
図２は、本発明の一実施形態において使用されるＤＶＤ−ＲＷ（光ディスク）の半径方向におけるエリアの分割の様子を示す説明図である。
【００２５】
ＤＶＤ−ＲＷ１の最も内周側のエリアＡ１はＲ情報エリアとなっており、最適な記録パワーを調べるために使用される。すなわち、記録を開始する場合に、試験的な書き込みを行うことによって、レーザ光の強度などの最適記録条件を見出すとともに、そのときの記録条件を保存するために使用される。エリアＡ１に隣接した外周側のエリアＡ２はリードインエリアとなっており、データエリアＡ３にデータを書き込んだときの最後の書き込みアドレスなどの記録に使用される。また、ＣＰＲＭにおける情報の１つであるＭＫＢ（Ｍｅｄｉａ  Ｋｅｙ  Ｂｌｏｃｋ）が記録される。
【００２６】
リードインエリアＡ２の内周側のエリアＡ５には、放射方向のレーザカッティングによってデータが記録されたＮＢＣＡ（Ｎａｒｒｏｗ  Ｂｕｒｓｔ  Ｃｕｔｔｉｎｇ  Ａｒｅａであり、請求項記載のカッティングデータエリアに対応する）が形成されており、ＣＰＲＭにおける情報の１つであるアルバムＩＤが記録される。リードインエリアＡ２の外周側のエリアＡ３はデータエリアとなっており、映像信号などのデータが記録される。そして、最も外周側のエリアＡ４はリードアウトエリアとなっている。
【００２７】
図１は、本発明に係る記録再生装置の一実施形態の電気的構成を示すブロック線図であり、具体的には、ＤＶＤレコーダを示している。
【００２８】
ピックアップ３は、スピンドルモータ２によって回転駆動されるＤＶＤ−ＲＷ１に記録されたデータを読み取って得られた信号を記録再生信号処理部７に出力する。また、記録再生信号処理部７から出力される信号をレーザ光を用いてＤＶＤ−ＲＷ１に記録する。また、ＤＶＤ−ＲＷ１に記録されたデータを、レーザ光を用いて消去する。
【００２９】
サーボ制御部４は、記録再生信号処理部７から出力されるエラー信号に基づいて、ピックアップ３のフォーカシングやトラッキングの制御を行う。また、記録再生信号処理部７において再生されたクロック信号に基づいて、スピンドルモータ２の回転速度を制御する。また、制御手段８からの指示に従って、図示されないスレッドモータを駆動することにより、ピックアップ３を半径方向に移動させる。
【００３０】
チューナ部６は、制御手段８から指示されたチャンネルの商用放送を受信するとともに、受信して得られたアナログ映像信号を記録再生信号処理部７に出力する。入力回路部１０は、図示されない装置本体の前面パネルに設けられた電源キー等のキースイッチや、リモートコントローラ１１から送信される赤外線信号を受光する受光ユニット等を備えており、ユーザからの指示が入力されると、入力された指示を制御手段８に出力する。
【００３１】
記録再生信号処理部７は、再生となるときには、ピックアップ３より出力される信号からデジタルデータを復調するとともにエラー訂正等の処理を行う。そして、ＤＶＤ−ＲＷ１がＣＰＲＭ対応であるときには、ＮＢＣＡに記録されたアルバムＩＤ、リードインエリアＡ２に記録されたＭＫＢ、制御手段８に予め記録されたデバイスキー（後に詳述する）１５などに基づいて、データの暗号化を解除する。そして後、暗号化を解除して得られた映像信号や音声信号などをデコードしてテレビ受像機１９に出力する。
【００３２】
また、チューナ部６から出力される映像信号の記録となるときには、チューナ部６から出力される映像信号をデジタル化した後、圧縮処理や符号化処理を行って得られた信号をピックアップ３に出力して、ＤＶＤ−ＲＷ１に記録する。また、外部より与えられる映像信号５がＣＰＲＭ対応の信号であるときには、アルバムＩＤやＭＫＢ、デバイスキー１５などに基づいて映像信号の暗号化を行う。そして後、暗号化された映像信号を符号化処理して得られた信号をピックアップ３に出力して、ＤＶＤ−ＲＷ１に記録する。
【００３３】
また、図示されないオンスクリーンディスプレイ部を用いることによって、制御手段８から指示された文字や記号等を示す信号を生成し、映像信号に重畳する。また、ＤＶＤ−ＲＷ１にＭＫＢが記録されているときには、読み取ったＭＫＢを制御手段８に出力する。また、ＤＶＤ−ＲＷ１にＮＢＣＡが形成されているときには、ＮＢＣＡに記録されたデータ（アルバムＩＤなど）を読み取って制御手段８に出力する。
【００３４】
パスワード記憶手段９は、不揮発性のメモリ素子によって構成されており、予め入力されたパスワードを記憶する。そして、記憶されたパスワードは、ＤＶＤ−ＲＷ１におけるＮＢＣＡの形成範囲を対象として消去を行うとき、求めに応じて入力されるパスワードが正しいかどうかを判定するために使用される。
【００３５】
デバイスキー１５は、マイクロコンピュータ内に予め記憶された情報であり、ライセンスを管理する会社からＤＶＤレコーダなどを製造する製造者に与えられる情報となっている。なお、このキーは、製造者を識別するだけに留まらず、個々の装置のそれぞれをも識別可能にするための固有の情報となっている。
【００３６】
制御手段８は、マイクロコンピュータを主要部として構成されており、ＤＶＤレコーダとしての主要動作を制御する。すなわち、リモートコントローラ１１等に入力されたユーザの指示に従い、記録再生信号処理部７を制御することによって、ＤＶＤ−ＲＷ１に記録された映像信号を再生して、テレビ受像機１９に表示する。また、チューナ部６と記録再生信号処理部７とを制御することによって、ユーザが指示したチャンネルの番組をＤＶＤ−ＲＷ１に記録する。
【００３７】
なお、制御手段８は、再生においては、ＤＶＤ−ＲＷ１がＣＰＲＭ対応のディスクである場合、記録再生信号処理部７から出力されるアルバムＩＤとＭＫＢ、および、デバイスキー１５などを参照することによって、再生を許可されているかどうかを判定する。そして、再生が許可されている場合にはＤＶＤ−ＲＷ１の再生を行い、再生が許可されていない場合には再生を実行しない。
【００３８】
また、制御手段８は、ＤＶＤ−ＲＷ１の再生を不能化する指示が入力されたときには、パスワードの入力を求める。そして、入力されたパスワードがパスワード記憶手段９に記憶されたパスワードと一致する場合、再生の不能化を行うことの確認を求めるメッセージを表示する。この確認のメッセージに対応して、不能化を行うことの指示が入力されたときには、光ディスクの半径方向においてカッティングデータエリアが形成された範囲を対象として、ピックアップによるトラックに沿ったデータの消去を行う。
【００３９】
図３は、ＤＶＤ−ＲＷ１の再生を不能化するときの実施形態の主要動作を示すフォーマットである。必要に応じて同図を参照しつつ、実施形態の動作を説明する。
【００４０】
制御手段８は、初期設定の動作において、再生の不能化を行うときに参照するためのパスワードの入力を求め、入力されたパスワードをパスワード記憶手段９に記憶する。パスワード記憶手段９にパスワードが記憶された後において、ＤＶＤ−ＲＷ１の再生の不能化の指示が入力されると（ステップＳ１）、制御手段８は、ＤＶＤ−ＲＷ１がＣＰＲＭに対応したディスクであるのかどうかを調べる（ステップＳ２）。ＣＰＲＭ対応のディスクである場合には、テレビ受像機１９に、パスワードの入力を求める画面（図示を省略）を表示する（ステップＳ３，Ｓ４）。
【００４１】
パスワードが入力されたときには（ステップＳ５）、入力されたパスワードが、パスワード記憶手段９に記憶したパスワードに一致するかどうかを調べる（ステップＳ６）。一致するときには、ユーザは再生の不能化を行う資格を有する者であるとして、再生の不能化を行うことの確認を求める画面をテレビ受像機１９に表示する（ステップＳ７，Ｓ８）。再生の不能化を行うかどうかの確認画面に対応して、不能化の指示が入力されたときには、制御手段８は、サーボ制御部４と記録再生信号処理部７とを制御することによって、ＤＶＤ−ＲＷ１におけるＮＢＣＡが形成された範囲Ａ５を対象として、トラックに沿った通常のデータ消去を実行する。
【００４２】
範囲Ａ５を対象として、トラックに沿った通常のデータの消去を行うと、ＮＢＣＡにおける放射方向のカッティングに、ピックアップ３からのレーザ光が照射される。一方、ＮＢＣＡに形成されたカッティングは、レーザカッティングにより形成されたものとなっている。このため、トラックに沿ったデータ消去のためのレーザ光を照射する場合であっても、ＮＢＣＡにおける放射方向のカッティングは変成されることになる。その結果、ＮＢＣＡに形成されたカッティングにより示されるデータは、以後では読み取りが不能になる。
【００４３】
そして、ＮＢＣＡに記録されたデータの読み取りが不能となる場合では、アルバムＩＤを知ることができなくなる。従って、再生されたデータの暗号化を解くことができなくなる。つまり、再生が不能化されることになる。なお、ＮＢＣＡの読み取りを不能にする処理は、一方向の処理となっており、この処理を行った後では、ＮＢＣＡからデータの読み取りを可能にする処理はできなくなっている。つまり、再生の確実な不能化を行うことができるようになっている。
【００４４】
なお、上記消去を行う範囲については、ＤＶＤ−ＲＷ１の偏心があるため、実際にＮＢＣＡが形成された範囲Ａ５より、内周側と外周側とにおいて、偏心の最大量に対応する幅だけ広く消去する制御が行われるようになっている。
【００４５】
また、なお、上記したステップＳ３の判定において、ＤＶＤ−ＲＷ１がＣＰＲＭ対応のディスクでない場合には、ＮＢＣＡに記録されたデータを用いることなく、ＤＶＤ−ＲＷ１の再生が可能になる。このため、制御手段８は、再生の不能化を行うことはできないので、図４に示したように、代わりの処理であるデータ消去を行うかどうかの入力を求める画面をテレビ受像機１９に表示する（ステップＳ１５）。消去を行う旨の指示が入力されたときにはＤＶＤ−ＲＷ１の全データを消去する（ステップＳ１６，Ｓ１７）。一方、データの消去を行うかどうかの入力を求める画面の表示に対応して、消去しない指示が入力されたときには、処理を終了する。
【００４６】
また、ステップＳ７におけるパスワードの一致の判定において、入力されたパスワードが、パスワード記憶手段９に記憶されたパスワードに一致しないときには、再生の不能化を行う資格を持たない者が操作しているとして、処理を終了する。また、ステップＳ９における再生の不能化の確認において、不能化しない指示が入力されたときにも、制御手段８は処理を終了する。
【００４７】
なお、本発明は上記実施形態に限定されず、その他のＣＰＲＭ対応の光ディスク（例えば、ＣＰＲＭ対応のＤＶＤ−ＲＡＭ等）を対象として、データの記録再生を行う装置の場合にも、同様に適用することができる。
【図面の簡単な説明】
【００４８】
【図１】本発明に係る記録再生装置の一実施形態であるＤＶＤレコーダの電気的構成を示すブロック線図である。
【図２】実施形態において使用されるＤＶＤ−ＲＷ（光ディスク）の半径方向におけるエリアの分割の様子を示す説明図である。
【図３】再生の不能化を行うときの実施形態の主要動作を示すフローチャートである。
【図４】ＤＶＤがＣＰＲＭ対応でないときに表示されるメッセージを示す説明図である。
【符号の説明】
【００４９】
１  ＤＶＤ−ＲＷ（光ディスク）
３  ピックアップ
９  パスワード記憶手段
Ｓ４  パスワードの入力を求めるステップ
Ｓ６  パスワードの一致を調べるステップ
Ｓ８  再生の不能化の確認を求めるステップ
Ｓ１０  再生の不能化を行うステップ
【図１】
2005346806.tif 000003
【図２】
2005346806.tif 000004
【図３】
2005346806.tif 000005
【図４】
2005346806.tif 000006